(57)【要約】  装置は、少なくとも１つの上端部および少なくとも１つの底端部を含む少なくとも１つの物体を格納し得る。装置は、少なくとも１つの物体と液体を収容する袋とを格納するように構成された容器を含み得る。袋は、容器の内側に格納されるときに、少なくとも１つの物体の少なくとも１つの上端部を実質的に覆うように構成され得る。袋は、少なくとも１つの物体の少なくとも１つの上端部に接触するように、また、熱暴走に起因して少なくとも１つの物体から放出される中身に接触したときに開くように構成され得る。【選択図】図２、図４
2014523622.tif 000002
【特許請求の範囲】
【請求項１】
少なくとも１つの上端部および少なくとも１つの底端部を含む少なくとも１つの物体を格納するための装置であって、
前記少なくとも１つの物体を格納するように構成された容器と、
液体を含み、前記容器の内側に格納されるときに前記少なくとも１つの物体の前記少なくとも１つの上端部を覆うように構成された袋であって、前記少なくとも１つの物体の前記少なくとも１つの上端部に接触し、熱暴走に起因して前記少なくとも１つの物体から放出される中身に接触したときに開くように構成される、袋と、
を備える、装置。
【請求項２】
前記少なくとも１つの物体は、少なくとも１つのバッテリであり、
前記容器の底部表面が、前記少なくとも１つのバッテリの前記少なくとも１つの底端部に接触するよう構成されるように、前記容器は、前記少なくとも１つのバッテリを格納するよう構成された空間を画定する少なくとも１つの側壁および前記底部表面を含み、前記少なくとも１つのバッテリの前記少なくとも１つの上端部は、正端子を含む、請求項１に記載の装置。
【請求項３】
前記側壁の内部表面および前記底部表面は、防水層を含む、請求項２に記載の装置。
【請求項４】
前記防水層は、前記容器の前記底部表面上の可塑化被膜により形成される、請求項３に記載の装置。
【請求項５】
前記防水層は、前記容器の前記底部表面上に位置するトレーにより形成される、請求項３に記載の装置。
【請求項６】
前記液体は、水およびゲルを含む、請求項１に記載の装置。
【請求項７】
前記ゲルは、ポリアクリル酸ナトリウムから形成される、請求項６に記載の装置。
【請求項８】
前記液体は、水よりも粘性が高い、請求項１に記載の装置。
【請求項９】
前記袋は、プラスチックから形成される、請求項１に記載の装置。
【請求項１０】
前記袋は、摂氏約８２．２２度（華氏約１８０度）から摂氏約２０４．４４度（華氏約４００度）までの融点を有する材料から形成される、請求項１に記載の装置。
【請求項１１】
前記袋は、摂氏約２０４．４４度（華氏約４００度）よりも低い融点を有する材料から形成される、請求項１に記載の装置。
【請求項１２】
前記袋は、前記少なくとも１つの物体の前記少なくとも１つの上端部から前記液体を分離する層を含み、前記層は、約０．０１２７ミリメートル（約０．０００５インチ）から約０．１２７ミリメートル（約０．００５インチ）までの厚さを有する、請求項１に記載の装置。
【請求項１３】
前記袋は、少なくとも１つのエアポケットを含むプラスチックシート材料で形成される、請求項１に記載の装置。
【請求項１４】
前記少なくとも１つのエアポケットは、前記少なくとも１つの物体から前記液体を分離する、請求項１３に記載の装置。
【請求項１５】
温度を検出するように構成されたセンサと、
前記センサが所定の温度を超える温度を検出するときに、前記袋を開くように構成された構成要素と、を更に備える、請求項１に記載の装置。
【請求項１６】
物質の量を検出するように構成されたセンサと、
前記センサが所定の量を超える前記物質の量を検出するときに、前記袋を開くように構成された構成要素と、
を更に備える、請求項１に記載の装置。
【請求項１７】
前記物質は、電解質、二酸化炭素、水素ガス、一酸化炭素、メタン、エタン、およびエチレンのうちの少なくとも１つを含む、請求項１６に記載の装置。
【請求項１８】
センサに向けられた力を検出するように構成された当該センサと、
前記センサが所定の力を超える力を検出するときに、前記袋を開くように構成された構成要素と、
を更に備える、請求項１に記載の装置。
【請求項１９】
少なくとも１つの上端部および少なくとも１つの底端部を含む少なくとも１つの物体を格納する方法であって、
前記少なくとも１つの物体を容器の中に配置する工程と、
液体を収容する袋であって、前記少なくとも１つの物体の前記少なくとも１つの上端部に接触するように構成された層を含み、摂氏約２０４．４４度（華氏約４００度）よりも低い融点を有する材料から形成された袋が、前記少なくとも１つの物体の前記上端部を覆うように、前記袋を前記少なくとも１つの物体の前記少なくとも１つの上端部上に配置する工程と、
を含む、方法。
【請求項２０】
前記少なくとも１つの物体は、少なくとも１つのバッテリであり、
前記材料の前記融点は、摂氏約９３．３３度（華氏約２００度）よりも低い、請求項１９に記載の方法。
【請求項２１】
前記材料の前記融点は、摂氏約１４８．８９度（華氏約３００度）よりも低い、請求項１９に記載の方法。
【請求項２２】
前記材料の前記融点は、摂氏約８２．２２度（華氏約１８０度）と摂氏約２０４．４４度（華氏約４００度）との間にある、請求項１９に記載の方法。
【請求項２３】
上端部および底端部を含む複数の物体を格納する方法であって、
前記複数の物体の前記上端部が整列され、前記複数の物体の前記底端部が容器の表面に接触するように、並列にある前記複数の物体を前記容器の中に配置する工程と、
前記複数の物体の前記上端部に接触し、熱暴走に起因して前記複数の物体の少なくとも１つから放出された中身に接触したときに開くように構成された袋が、前記複数の物体を覆うように、前記複数の物体の前記上端部上に液体を収容する前記袋を配置する工程と、
を含む、方法。
【請求項２４】
前記複数の物体は、複数のバッテリであり、
前記袋は、前記袋が開かれたときに、前記複数のバッテリの少なくとも１つの外部表面を被覆するのに十分な液体の量を含む、請求項２３に記載の方法。
【請求項２５】
空洞を画定し、物体を搬送するように構成された容器であって、
流体と、
少なくとも１つの密閉された筺体であり、
（ｉ）前記流体を収容し、
（ｉｉ）前記容器内の少なくとも１つの物体の上端部を覆い、
（ｉｉｉ）前記少なくとも１つの物体の前記上端部と接触し、
（ｉｖ）前記少なくとも１つの物体から中身が放出されたときに前記流体を放流するように構成された、筺体と、
を備える、容器。
【請求項２６】
前記密閉された筺体は、袋である、請求項２５に記載の容器。
【請求項２７】
前記少なくとも１つの物体は、少なくとも１つのバッテリであり、
前記密閉された筺体は、熱暴走に起因して前記少なくとも１つのバッテリから前記中身が放出されたときに、前記流体を放流するように更に構成される、請求項２６に記載の容器。
【請求項２８】
前記密閉された筺体は、プラスチックバッグである、請求項２５に記載の容器。
【請求項２９】
前記少なくとも１つの物体は、少なくとも１つのバッテリであり、
前記密閉された筺体は、熱暴走に起因して前記少なくとも１つのバッテリから前記中身が放出されたときに、前記流体を放流するように更に構成される、請求項２８に記載の容器。
【請求項３０】
前記少なくとも１つの物体は、少なくとも１つのバッテリであり、
前記密閉された筺体は、熱暴走に起因して前記少なくとも１つのバッテリから前記中身が放出されたときに、前記流体を放流するように更に構成される、請求項２５に記載の容器。
【発明の詳細な説明】
【技術分野】
【０００１】
この出願は、２０１１年７月７日に出願された米国仮出願第６１／５０５，４０１号の優先権の利益を請求するものであり、その米国仮出願は、その全体が参照によって本明細書に組み込まれる。
【０００２】
本開示は、一般に、冷却方法およびシステムに関するものであり、より詳細には、バッテリ冷却方法およびシステムに関するものである。
【背景技術】
【０００３】
例えばリチウムまたはリチウムイオンバッテリなどのバッテリは、例えば欠陥のあるとき、損害を与えられたとき、過充電したとき、過熱したときなどのある条件下で、熱暴走（状態）に置かれ得る。バッテリが熱暴走（状態）に置かれると、バッテリは、バッテリが高温の（例えば、摂氏約２３２．２２度（華氏約４５０度）から摂氏約２６０度（華氏約５００度）までの）加圧気体を通気するまで温度を上げ得る。気体を通気する間に、バッテリは温度を（例えば、摂氏約５３７．７８度（華氏約１，０００度）から摂氏約５６５．５６度（華氏約１，０５０度）まで）上げ続け得る。燃え立つ材料（例えば、燃え立つ液体電解質）の噴出および／または煙はまた、バッテリから生成され、通気され得る。十分な熱、気体、および／または炎が生成され得、バッテリにごく接近した材料、例えばバッテリの周囲のパッケージなどの燃焼と破壊を招き得る。
【０００４】
複数のバッテリは、搬送および／または他の用途のために単一パッケージに共に格納され包装されることが多い。しかしながら、パッケージ内の１つのバッテリが熱暴走（状態）に置かれると、バッテリによって生成された高熱、気体、および／または炎は、同じパッケージ内の隣接バッテリに接触し得、および／またはその隣接バッテリを熱し得、隣接バッテリも同様に過熱させ、熱暴走（状態）に置くことをもたらす。熱暴走（状態）に置かれている各バッテリは、隣接バッテリをもまた熱暴走（状態）に置き得るので、連鎖反応が起こり得る。故に、熱暴走を被るバッテリがパッケージ内の１つまたは複数の追加的バッテリによって取り囲まれる場合には、単一の熱暴走の事象が複数のバッテリの熱暴走をもたらし得、そのことは、ひいては、より広範囲にわたる付随的な損害をもたらし得る。例えば、バッテリを収容するパッケージは、破壊され得、複数のバッテリが熱暴走を被るときに、摂氏約１３７１．１１度（華氏約２，５００度）までの温度に達し得る。故に、１つのバッテリ内の単一の出来事は、かなりの物的損害をもたらし得、いくつかの状況では、身体的危害または人命の損失をもたらし得るので、熱暴走は懸念事項である。
【０００５】
開示される方法およびシステムは、上記問題の１つまたは複数を克服することを対象とする。
【発明の概要】
【０００６】
一例によれば、少なくとも１つの上端部および少なくとも１つの底端部を含む少なくとも１つの物体を格納するための装置は、少なくとも１つの物体を格納するように構成された容器を含む。装置はまた、液体を収容する袋であって、容器の内側に格納されたときに少なくとも１つの物体の少なくとも１つの上端部を実質的に覆うように構成された袋も含む。袋は、少なくとも１つの物体の少なくとも１つの上端部に接触するように、また、熱暴走に起因して少なくとも１つの物体から放出された中身に接触したときに開くように構成される。
【０００７】
別の例によれば、少なくとも１つの上端部および少なくとも１つの底端部を有する少なくとも１つの物体を格納する方法は、少なくとも１つの物体を容器の中に配置することを含む。方法はまた、袋が少なくとも１つの物体の少なくとも１つの上端部を実質的に覆うように、液体を収容する袋を少なくとも１つの物体の少なくとも１つの上端部上に配置することも含む。袋は、少なくとも１つの物体の少なくとも１つの上端部に接触するように構成され、摂氏約２０４．４４度（華氏約４００度）よりも低い融点を有する材料から形成された層を含む。
【０００８】
更なる例によれば、上端部および底端部を有する複数の物体を格納する方法は、複数の物体を容器の中に配置することを含む。複数の物体は、複数の物体の上端部が整列され、複数の物体の底端部が容器の表面に接触するように、並列である。方法はまた、袋が複数の物体を実質的に覆うように、液体を収容する袋を複数の物体の上端部上に配置することも含む。袋は、複数の物体の上端部に接触するように、また、熱暴走に起因して複数の物体の少なくとも１つから放出された中身に接触したときに開くように構成される。
【０００９】
更に別の例によれば、空洞を画定し、物体を搬送するように構成された容器は、流体と、少なくとも１つの密閉された筺体を含む。密閉された筺体は、（ｉ）流体を収容し、（ｉｉ）容器内の少なくとも１つの物体の上端部を実質的に覆い、（ｉｉｉ）少なくとも１つの物体の上端部と接触し、（ｉｖ）少なくとも１つの物体から中身が放出されたときに流体を放流するように構成される。
【００１０】
上記概要と下記発明を実施するための形態との両方は、例だけを含むものであり、発明の限定的なものではないことが理解される。
【図面の簡単な説明】
【００１１】
【図１】実施形態例に係る、袋および複数のバッテリを含む容器の組み立て品の斜視図である。
【図２】図１の容器の断面図である。
【図３】通気バッテリを有する図１の容器の断面図である。
【図４】図１の容器の断面図であり、その容器内で袋が開かれている図である。
【図５】実施形態例に係る、エアポケットを封入するシート材料で形成された袋の断面図である。
【図６】実施形態例に係る、防水層を含む容器の断面図である。
【図７】閉じられた蓋を伴う、別の実施形態例に係る、容器の斜視図である。
【図８】開かれた蓋を伴い、袋および複数のバッテリを含む、図７の容器の斜視図である。
【図９】開かれた蓋を伴い、袋が取り除かれた、図７の容器の斜視図である。
【発明を実施するための形態】
【００１２】
次に、添付の図面に例示される実施形態例について詳細に言及がなされる。可能な限り、同じ参照番号は、図面全体を通して同じまたは類似部分を指すために使用される。
【００１３】
図１〜図４は、例えば搬送の間にまたは他の用途のために、１つまたは複数のバッテリ２０を格納するための容器１０を例示する。容器１０は、バッテリ２０をその中に格納するための空間を画定する少なくとも１つの側壁１２および底部表面１４を含み得る。図１に示される実施形態例では、容器１０は４つの側壁１２を含む直方柱であるが、側壁１２の数は容器１０の形状次第で変動し得る。更に、容器１０は、少なくとも部分的に開かれた上部を有し得る（例えば、蓋がない）か、または閉じることが可能な蓋を含み得る。
【００１４】
容器１０は種々の種類の材料から形成され得る。図１〜図４に示される実施形態例では、容器１０は段ボールから形成される。あるいは、容器１０は、例えば他の種類の厚紙、紙、プラスチック、ならびに／あるいは他の一般に堅いおよび／または折り畳める材料などの、包装材料として典型的に使用される他の材料から形成されてもよい。それらの材料は、当技術分野において周知のように、ワックス、ポリマー、防水性物質、耐油性物質などで処理されてもよい。
【００１５】
バッテリ２０は任意の種類のバッテリを含み得る。例えば、バッテリ２０は、限定されるものではないが、リチウム、リチウムイオン（例えば、リン酸鉄リチウム、コバルト酸リチウム、他のリチウム金属酸化物など）、リチウムイオンポリマー、ニッケル金属水素、ニッケルカドミウム、ニッケル水素、ニッケル亜鉛、鉄亜鉛、アルカリ性、または他のバッテリ種類／構成を含む、種々の異なる化学的性質および構成のいずれかを含み得る。更に、バッテリ２０は、その種々の異なる化学的性質のバッテリの任意の組み合わせを含み得る。
【００１６】
任意の数のバッテリ２０は、例えば、容器１０の寸法に依存して、容器１０内に格納され得る。図１〜図４に示される実施形態例では、複数のバッテリ２０が容器１０内に格納される。あるいは、１から１，０００を超える範囲の任意の数のバッテリ２０が容器１０内に格納され得る。また、容器１０が複数のバッテリ２０を格納するとき、バッテリ２０は、図１〜図４に示されるように、互いに隣接し互いに接触して格納され得る。あるいは、１つまたは複数のスペーサ１３（図８および図９）が、互いにおよび／または側壁１２からバッテリ２０の間隔をあけるように設けられ得る。バッテリ２０は、バッテリ２０を格納するための種々の周知の構成に配置され得る。
【００１７】
各バッテリ２０は上端部２２および底端部２４を含み得る。例えば、図１〜図４に示されるように、上端部２２は、当技術分野に周知のように、例えばバッテリ２０の外被から延びる円柱状の突出部（ボタン）２６として形成された、正端子と、通気またはリリーフポート（図示しない）とを含み得る。図２〜図４に示されるように、バッテリ２０の底端部２４が、容器１０の底部表面１４に接触し、底部表面１４上に載るように、バッテリ２０は容器１０の内側に配置され得る。バッテリ２０の上端部２２はまた、互いに整列され得る。
【００１８】
袋４０は、容器１０内のバッテリ２０の上部上に配置され得、バッテリ２０に接触し得、バッテリ２０上に載り得る。例えば、図１〜図４に示されるように、袋４０は、バッテリ２０の上部上に配置され得、バッテリ２０の上端部２２上に載り得る。袋４０は、バッテリ２０を実質的に覆うように、またはバッテリ２０の上端部２２の少なくとも大部分を実質的に覆うように寸法（例えば長さおよび幅）が定められ得る。一実施形態では、袋４０は、容器１０によって形成された空間と実質的に同じ（またはわずかに小さい）長さおよび幅を有し得、容器１０の内側にバッテリ２０と共に置かれ得る。袋４０の寸法はバッテリ２０の寸法に依存するが、袋４０の寸法は、例えば、約７６．２ミリメートル（約３インチ）掛ける約７６．２ミリメートル（約３インチ）から約６０９．８ミリメートル（約２フィート）掛ける約６０９．８ミリメートル（約２フィート）までの範囲にわたり得る。あるいは、袋４０の長さおよび／または幅は、もっと小さくまたはもっと大きくてもよい。
【００１９】
袋４０の高さは、以下に記載されるように、袋４０の中身に依存し得る。例えば、高さは約２５．４ミリメートル（約１インチ）から約５０．８ミリメートル（約２インチ）までであり得る。あるいは、袋４０の高さは、もっと低くまたはもっと高くてもよい。
【００２０】
袋４０は、材料の膜または層４２内に画定された密閉された空洞を含み得る。袋４０内に形成された密閉された空洞は、流体４４を収容し得る。例えば、袋４０は、流体４４を保持し、格納し、あるいは運ぶために（例えばインパルスシーラーを用いて）閉じられ得るか密閉され得る可撓性容器であり得る。層４２は、当技術分野に周知のプラスチックバッグまたは他の種類の可撓性バッグを形成するために使用される任意材料、例えばポリエチレン、ポリスチレン、ポリプロピレン、プリウレエタン、ポリラインドバッグ（ｐｏｌｙｌｉｎｅｄ  ｂａｇ）、ポリ酢酸ビニル（ＰＶＡ）、ポリ塩化ビニリデン（例えば、包装用ラップまたはプラスチックラップ）、ナイロンなどで、形成され得る。
【００２１】
層４２は、融点が比較的低い材料で形成され得る。例えば、層４２は、例えば、摂氏約２０４．４４度（華氏約４００度）よりも低い、摂氏約１４８．８９度（華氏約３００度）よりも低い、摂氏約９３．３３度（華氏約２００度）よりも低い、摂氏約８２．２２度（華氏約１８０度）よりも低い範囲内の温度、これらの温度の間の任意の範囲内の温度などで融けることができ得る。また、層４２は、当技術分野に周知のプラスチックバッグまたは他の種類の可撓性バッグを形成するために使用される層の厚さと同等の厚さ、例えば約０．０１２７ミリメートル（約０．０００５インチ）から約０．１２７ミリメートル（約０．００５インチ）までの範囲の厚さなどを有し得る。
【００２２】
流体４４は、気体（例えば空気など）および／または液体（例えば水など）を含み得る。一実施形態例では、袋４０は、水を約１００％収容し得る。別の実施形態例では、袋４０は、水または他の液体を約９５％から約９８％まで収容し得、残りの約２％から約５％までは、別の物質を含み得る。他の物質が、流体４４の粘性、蒸発時間、冷却、ならびに／あるいは消火および／または防火特徴を増すために使用され得る。他の物質はゲル、ポリマーなどを含み得る。例えば、ポリアクリル酸ナトリウムは、増粘剤として機能するゲルを形成するために水を吸収し得る粉末である。
【００２３】
袋４０の層４２は、袋４０内の流体４４とバッテリ２０の上端部２２との間の障壁として働き、バッテリ２０のいずれかから放出された中身に接触したときに開くことができる。例えば、図２は、袋４０がバッテリ２０の上方に位置している実施形態例の容器１０内に格納されたバッテリ２０のうちの３つを示す。３つのバッテリ２０は、第１のバッテリ３０と、第１のバッテリ３０に隣接する２つのバッテリ３２とを含む。
【００２４】
第１のバッテリ３０は熱暴走を被り得、それによって、とりわけ、第１のバッテリ３０が温度を上昇させおよび／または第１のバッテリ３０内からの中身５０、例えば炎および／または流体の噴出など（例えば、気体または液体、例えば液体電解質など）を放出するか通気することをもたらす。図３は、第１のバッテリ３０内からの中身５０を通気する第１のバッテリ３０を示す。
【００２５】
熱暴走に起因して、第１のバッテリ３０および／または通気された中身５０は、袋４０の層４２を形成する材料のほぼ融点以上である温度に達し得、袋４０内の流体４４の温度は、層４２を破裂させるための圧力を袋４０の内側に生じさせるために足りるだけ上昇し得、および／または通気された中身５０は、層４２を破裂させるために十分な力で放出され得る。上記溶融および／または破裂に起因して、１つまたは複数の開口部４６が袋４０の層４２に形成され得、それによって、流体４４が袋４０から漏れ出ることをもたらす。
【００２６】
図４は、層４２内に形成された開口部４６を通して袋４０から放流された流体４４を示す。開口部４６は、一般に、第１のバッテリ３０の上方に位置し得る。図４に示されるように、開口部４６はまた、一般に、第１のバッテリ３０に隣接するおよび／または容器１０内の他のバッテリ３２の上方に位置し得る。故に、流体４４は、例えば蒸発を通じて、第１のバッテリ３０および／または他のバッテリを実質的に覆い冷却し得る。流体４４は、第１のバッテリ３０の中に、バッテリ３０、３２の周りに、流れ得、次いで蒸発し得る。結果として、流体４４は、連鎖反応をもたらし得る第１のバッテリ３０の熱暴走に起因して生じる熱および／または燃焼を減らすために、ならびに／あるいは他のバッテリ３２が熱暴走を被ることを阻止するのを助けるために、熱暴走（状態）に置かれている第１のバッテリ３０および／または他のバッテリ３２を冷却し得る。
【００２７】
上記のとおり、一例では、袋４０内に収容される流体４４の量は、袋４０の下に配置されるバッテリ２０の寸法や数とか、第１のバッテリ３０および／または他のバッテリ３２を十分に冷却するためにならびに／あるいは連鎖反応を阻止する助けとなるために、予測される流体の量に依存する。同様に、袋４０の高さは、袋４０内に収容される流体４４の量に依存し得る。
【００２８】
また、上記のとおり、一例では、流体４４の構成は、流体４４の流れに対する抵抗を増やすための物質（例えば、ゲル、ゲルを形成する物質、他の増粘剤など）を含む。結果として、流体４４は、バッテリ２０をよりゆっくりと越えて流れ得、そのことは、バッテリ２０を比較的速く通り越して洗い流す代わりに、バッテリ２０をより効果的に冷却し得る。流体４４はまた、流体４４がバッテリ２０の周りを十分に流れることを可能にするために、流れに対して十分に低い抵抗を有し得る。
【００２９】
図５は、上記層４２および流体４４を含む袋４０ａを示す。袋４０ａはまた、別の実施形態例に係る、エアポケット６０を含むシート材料で形成され得る。例えば、袋４０ａは、バブルラップの気泡がエアポケット６０を封入する層６２によって形成されている、「バブルラップ」と通例呼ばれるシート材料を用いて形成され得る。それらの層６２は、（例えば、厚さおよび材料が）上記層４２と同等であり得る。バブルラップは、袋４０ａを形成するように層４２の縁部において密閉され得、流体４４を収容し得る。故に、エアポケット６０は層４２と層６２との間に形成され得る。袋４０ａは、流体４４が層４２、６２およびエアポケット６０で形成された障壁によってバッテリ２０から分離されるように、バッテリ２０上に位置付けられ得る。あるいは、複数のエアポケット６０の代わりに、袋４０ａは、流体４４をバッテリ２０から分離する単一のエアポケット６０で形成されてもよい。
【００３０】
この構成で、熱暴走（状態）に置かれているバッテリ（例えば、第１のバッテリ３０）が熱くなると、バッテリからの熱は、流体４４に直接伝達される代わりに、エアポケット６０に最初に伝達される。次いで、熱暴走（状態）に置かれているバッテリは、バッテリが中身５０を放出すること、および／またはバッテリ２０を覆うように流体４４を放流する開口部４６を形成するのに十分な層４２、６２を溶融することをもたらす温度に達し得る。
【００３１】
図６は、別の実施形態例に係る、防水層１６を含む容器１０を示す。例えば、防水層１６は、側壁１２の内部表面および／または容器１０の底部表面１４に塗布される被膜、例えば可塑化被膜などであり得る。あるいは、防水層１６は、トレー、例えば、側壁１２の内部表面および／または容器１０の底部表面１４の形状に実質的に対応する形状を有するプラスチックトレーとして形成されてもよい。プラスチックトレーは、容器１０内にバッテリ２０および袋４０を配置する前に、容器１０の中に挿入され得る。
【００３２】
防水層１６は、袋４０から放流された流体４４が容器１０に吸収されることを阻止し得る。流体４４が容器１０に吸収されると、流体４４は、十分にバッテリ２０を冷却するのに十分長くバッテリ２０を覆えない可能性がある。また、防水層１６は、容器１０が損害を与えられおよび／または脆弱化されること、流体４４が周囲環境に漏れ出ることなどを阻止し得る。
【００３３】
更に、別の実施形態例では、容器１０は、袋４０、例えばバッテリ２０に接触する袋４０の層４２または袋４０の他の部分に接続された１つまたは複数の構成要素７０および１つまたは複数のセンサ７２を含む。図６に示される実施形態例では、複数の構成要素７０およびセンサ７２は、袋４０の層４２の底部表面に取り付けられる連続層を形成する。あるいは、１つまたは複数の構成要素７０と１つまたは複数のセンサ７２とは、袋４０の層４２の底部表面上で互いに間隔をあけられ得る。例えば、少なくとも１つの構成要素７０と少なくとも１つのセンサ７２とが各バッテリ２０の概ね近くに位置し得るように、構成要素７０および／またはセンサ７２の間隔や数は、袋４０の下に格納されるバッテリ２０の寸法および／または数に依存し得る。別の代替案として、（複数の）構成要素７０および／または（複数の）センサ７２は、袋４０の内側、例えば層４２の上部表面などに形成され得、そのため、層４２は、バッテリ２０と、（複数の）構成要素７０および／または（複数の）センサ７２との間に障壁を形成する。
【００３４】
センサ７２は熱暴走を検出することができる。例えば、センサ７２は、所定の閾値、例えば摂氏８２．２２度（華氏１８０度）、摂氏９３．３３度（華氏２００度）、摂氏１４８．８９度（華氏３００度）、摂氏２０４．４４度（華氏４００度）、または別の温度閾値などを超える温度変化を検出し得る。あるいは、センサ７２は、熱暴走を被るバッテリによって放出された物質、例えばバッテリによって放出された気体または液体（例えば、電解質、二酸化炭素、水素ガス、一酸化炭素、メタン、エタン、エチレンなど）などの所定の量を検出してもよい。別の代替案として、センサ７２は、熱暴走を被るバッテリから通気される中身５０を伝搬する力の所定の量を検出してもよい。
【００３５】
センサ７２によって熱暴走を検出すると、構成要素７０は、袋４０内の流体４４を放流させ得る。例えば、構成要素７０は、爆発し得、あるいは層４２または袋４０の他の部分内に穴もしくは他の開口部を作り得る。例えば、構成要素７０は、作動時に開くおよび／または閉じるように構成されたバルブまたは他のデバイスを含み得る。
【００３６】
図７〜図９は、別の実施形態例に係る、蓋１１を含む容器１０ａを示す。図７は、蓋１１が閉じられている容器１０ａを示す。図８は、蓋１１が開けられている容器１０ａを示し、袋４０およびバッテリ２０は容器１０ａの内側に格納される。図９は、蓋１１が開けられ、袋４０が容器１０ａから取り除かれた容器１０ａを示す。任意に、バッテリ２０は、容器１０ａの内側で、別個の、よりしっかりと嵌る容器１０ｂ内に配置されてもよい。また、スペーサ１３が、容器１０ａの内側で、よりしっかりとした嵌合を生じさせるように設けられてもよく、図９に示されるように、それは、バッテリ２０を並列に、並ばせて、および／または直立に維持し得る。
【００３７】
上記容器１０、１０ａは、１つまたは複数のバッテリ２０が、物的損害および／または身体的危害リスクなしに搬送されおよび／または格納されることを可能にする。複数のバッテリ２０のうちの１つが熱暴走を被る場合、バッテリのみならず隣接バッテリが、熱を減らし、熱暴走を被るバッテリから放出された中身による損害を最小限にし、他のバッテリに連鎖反応をもたらす可能性を減らすことなどのために、冷却され得る。
【００３８】
種々の修正および変形が上記方法およびシステムになされ得ることは、当業者に明らかであろう。他の実施形態は、明細書への考察と、開示された方法およびシステムの慣例とから当業者に明らかであろう。明細書および例は例示的なものだけであるとみなされ、本質的な範囲は以下の特許請求の範囲およびそれらの均等物によって示されることが意図される。
【図１】
2014523622.tif 000003
【図２】
2014523622.tif 000004
【図３】
2014523622.tif 000005
【図４】
2014523622.tif 000006
【図５】
2014523622.tif 000007
【図６】
2014523622.tif 000008
【図７】
2014523622.tif 000009
【図８】
2014523622.tif 000010
【図９】
2014523622.tif 000011
【国際調査報告】
2014523622.tif 000012
2014523622.tif 000013
2014523622.tif 000014